(57)【特許請求の範囲】
【請求項１】
コモンレールに高圧燃料を供給するための高圧ポンプに低圧ポンプから供給される燃料の流量調節を行うための流量制御用電磁比例制御弁を有し、該流量制御用電磁比例制御弁の駆動用電磁ソレノイドのコイルに流れる駆動電流を制御しピストンを作動させることで前記コモンレールの目標レール圧に応じて前記流量調節を行うようにしたコモンレールシステムにおける流量制御用電磁比例制御弁の駆動方法において、
前記流量制御用電磁比例制御弁が動作にヒステリシスを生じさせる虞のある運転条件にあるか否かを判別し、
前記流量制御用電磁比例制御弁が動作にヒステリシスを生じさせる虞のある運転条件にあると判別された場合に前記コイルに与える電気的エネルギーをピストン作動の通常の期間より一時的に大きくすることを間歇的に繰り返し行うようにして前記駆動用電磁ソレノイドの駆動力を瞬時的に高めるようにし、
前記コモンレールのレール圧の実際値を検出し、該実際値と前記目標レール圧との差が所定値以下となった場合には前記電気的エネルギーを一時的に大きくする制御を停止させる
ことを特徴とする流量制御用電磁比例制御弁の駆動方法。
【請求項２】
（１）始動時か否か、（２）極冷間時か否か、（３）高温時か否か、（４）特定のエンジン回転域か否か、及び（５）レール圧の偏差が所定値を外れた状態が所定時間以上継続したか否かのうちの少なくとも１つの条件が成立している場合に、前記ヒステリシスを生じさせる虞のある運転条件にあると判別するようにした請求項１に記載の流量制御用電磁比例制御弁の駆動方法。
【発明の詳細な説明】
【０００１】
【発明の属する技術分野】
本発明は、流量制御用電磁比例制御弁の駆動方法及び装置に関する。
【０００２】
【従来の技術】
燃料その他の流体の流量を制御するため従来から流量制御用電磁比例制御弁が種々の装置において用いられてきている。例えば、コモンレール内に高圧燃料を蓄積しておきこの高圧燃料をインジェクタを介して内燃機関の各気筒に噴射供給するようにした燃料噴射装置にあっては、コモンレール内に高圧燃料を送り込むためのポンプユニットを備えている。このポンプユニットは、燃料タンクからの燃料を供給する供給ポンプを含み、供給ポンプから供給される燃料を高圧プランジャを用いて加圧してコモンレール内に高圧燃料を送り込む構成となっており、供給ポンプから高圧プランジャへ供給される燃料は電磁比例制御弁によってそのときの機関の運転条件に見合った適切な量に制御されるようになっている。
【０００３】
このような目的で使用される電磁比例制御弁は、シリンダ内に摺動可能に収容されたピストンをスプリングによってばね付勢しておくと共に、ピストンをこのスプリングによる付勢力に抗して位置決めするための電磁ソレノイドを設けて成っている。そして、この電磁ソレノイドに供給する駆動電流の大きさに比例してピストンとシリンダとの相対位置を制御することによって、シリンダに設けられた燃料通路のポートの開口面積を調節し、電磁比例制御弁を通過する燃料の流量を調節する構成となっている。
【０００４】
【発明が解決しようとする課題】
上述の如く構成されている電磁比例制御弁の電磁ソレノイドのコイルには、通常、一定周波数のパルス電圧が供給され、このパルス電圧のデューティ比を変えることによって電磁ソレノイドに供給される駆動電流の実効値を調節し、これにより燃料の流量調節が行われている。
【０００５】
しかし、上述の如く構成されている電磁比例制御弁にあっては、その作動時にピストンとシリンダとの間において静的及び動的な摩擦力が生じ、この結果、この機械的な作動摩擦によりピストンの動きにヒステリシスが発生し、弁装置としての応答性の低下や制御流量のばらつき等が発生する原因となっており、流量制御を安定して行えないという問題を生じている。
【０００６】
本発明の目的は、従来技術における上述の問題点を解決することができるようにした、流量制御用電磁比例制御弁の駆動方法及び装置を提供することにある。
【０００７】
【課題を解決するための手段】
上記課題を解決するため、請求項１の発明によれば、駆動用電磁ソレノイドのコイルに印加するパルス電圧のデューティ比を調節することによって前記コイルに流れる駆動電流を制御し流量調節を行うようにした流量制御用電磁比例制御弁の駆動方法において、適宜のタイミングで前記コイルに与える電気的エネルギーを一時的に大きくし、前記駆動用電磁ソレノイドの駆動力を瞬時的に高めるようにしたことを特徴とする流量制御用電磁比例制御弁の駆動方法が提案される。
【０００８】
請求項２の発明によれば、駆動用電磁ソレノイドのコイルに印加するパルス電圧のデューティ比を調節することによって前記コイルに流れる駆動電流を制御し流量調節を行うようにした流量制御用電磁比例制御弁の駆動方法において、適宜のタイミングで前記パルス電圧の波高値を一時的に大きくし、前記駆動用電磁ソレノイドの駆動力を瞬時的に高めるようにしたことを特徴とする流量制御用電磁比例制御弁の駆動方法が提案される。
【０００９】
請求項３の発明によれば、請求項２の発明において、前記パルス電圧の波高値を一時的に大きくすることを繰り返し行うようにした流量制御用電磁比例制御弁の駆動方法が提案される。
【００１０】
請求項４の発明によれば、請求項２の発明において、前記流量制御用電磁比例制御弁が動作にヒステリシスを生じさせる虞のある運転条件にあるか否かを判別し、前記流量制御用電磁比例制御弁が動作にヒステリシスを生じさせる虞のある運転条件にあると判別された場合に前記パルス電圧の波高値を一時的に大きくすることを繰り返し行うようにした流量制御用電磁比例制御弁の駆動方法が提案される。
【００１１】
請求項５の発明によれば、請求項３又は４の発明において、前記流量制御用電磁比例制御弁がコモンレールシステムのポンプの流量を制御するためのものであり、コモンレール圧の目標値と実際値との差が所定の状態となった場合に前記パルス電圧の波高値を一時的に大きくすることを繰り返し行うことを停止するようにした流量制御用電磁比例制御弁の駆動方法が提案される。
【００１２】
請求項６の発明によれば、駆動用電磁ソレノイドのコイルに印加するパルス電圧のデューティ比を調節することによって前記コイルに流れる駆動電流を制御し流量調節を行うようにした流量制御用電磁比例制御弁の駆動方法において、適宜のタイミングで前記パルス電圧のパルス幅を一時的に大きくし、前記駆動用電磁ソレノイドの駆動力を瞬時的に高めるようにしたことを特徴とする流量制御用電磁比例制御弁の駆動方法が提案される。
【００１３】
請求項７の発明によれば、請求項６の発明において、前記パルス電圧のパルス幅を一時的に大きくすることを繰り返し行うようにした流量制御用電磁比例制御弁の駆動方法が提案される。
【００１４】
請求項８の発明によれば、請求項６の発明において、前記流量制御用電磁比例制御弁が動作にヒステリシスを生じさせる虞のある運転条件にあるか否かを判別し、前記流量制御用電磁比例制御弁が動作にヒステリシスを生じさせる虞のある運転条件にあると判別された場合に前記パルス電圧のパルス幅を一時的に大きくすることを繰り返し行うようにした流量制御用電磁比例制御弁の駆動方法が提案される。
【００１５】
請求項９の発明によれば、請求項７又は８の発明において、前記流量制御用電磁比例制御弁がコモンレールシステムのポンプの流量を制御するためのものであり、コモンレール圧の目標値と実際値との差が所定の状態となった場合に前記パルス電圧のパルス幅を一時的に大きくすることを繰り返し行うことを停止するようにした流量制御用電磁比例制御弁の駆動方法が提案される。
【００１６】
請求項１０の発明によれば、請求項１の発明において、前記流量制御用電磁比例制御弁がコモンレールシステムのポンプの流量を制御するためのものであり、コモンレール圧の目標値と実際値との差が所定時間経過後において所定の状態とならなかった場合には、前記電気的エネルギーをさらに大きくするようにした流量制御用電磁比例制御弁の駆動方法が提案される。
【００１７】
請求項１１の発明によれば、流量制御用の電磁比例制御弁を駆動するための電磁比例制御弁駆動装置において、外部から与えられる制御信号に従うデューティ比の所定の周波数の駆動用パルス電圧を前記電磁比例制御弁の駆動用電磁ソレノイドのコイルに供給するための手段と、適宜のタイミングで前記駆動用パルス電圧のパルス巾を一時的に大きくするための手段とを備えたことを特徴とする電磁比例制御弁駆動装置が提案される。
【００１８】
請求項１２の発明によれば、流量制御用の電磁比例制御弁を駆動するための電磁比例制御弁駆動装置において、外部から与えられる制御信号に従うデューティ比の所定の周波数の駆動用パルス電圧を前記電磁比例制御弁の駆動用電磁ソレノイドのコイルに供給するための手段と、適宜のタイミングで前記駆動用パルス電圧のパルス波高値を一時的に大きくするための手段とを備えたことを特徴とする電磁比例制御弁駆動装置が提案される。
【００１９】
請求項１３の発明によれば、駆動用電磁ソレノイドのコイルに印加するパルス電圧のデューティ比を調節することによって前記コイルに流れる駆動電流を制御し流量調節を行うようにしたコモンレールシステムのポンプの流量制御用電磁比例制御弁の駆動方法において、適宜のタイミングで前記コイルに与える電気的エネルギーを一時的に大きくし、前記駆動用電磁ソレノイドの駆動力を瞬時的に高めるようにしたことを特徴とするコモンレールシステムのポンプの流量制御用電磁比例制御弁の駆動方法が提案される。
【００２０】
請求項１４の発明によれば、駆動用電磁ソレノイドのコイルに印加するパルス電圧のデューティ比を調節することによって前記コイルに流れる駆動電流を制御し流量調節を行うようにしたコモンレールシステムのポンプの流量制御用電磁比例制御弁の駆動方法において、適宜のタイミングで前記パルス電圧の波高値を一時的に大きくし、前記駆動用電磁ソレノイドの駆動力を瞬時的に高めるようにしたことを特徴とするコモンレールシステムのポンプの流量制御用電磁比例制御弁の駆動方法が提案される。
【００２１】
請求項１５の発明によれば、駆動用電磁ソレノイドのコイルに印加するパルス電圧のデューティ比を調節することによって前記コイルに流れる駆動電流を制御し流量調節を行うようにしたコモンレールシステムのポンプの流量制御用電磁比例制御弁の駆動方法において、適宜のタイミングで前記パルス電圧のパルス幅を一時的に大きくし、前記駆動用電磁ソレノイドの駆動力を瞬時的に高めるようにしたことを特徴とするコモンレールシステムのポンプの流量制御用電磁比例制御弁の駆動方法が提案される。
【００２２】
請求項１６の発明によれば、コモンレールシステムのポンプの流量制御用の電磁比例制御弁を駆動するための電磁比例制御弁駆動装置において、外部から与えられる制御信号に従うデューティ比の所定の周波数の駆動用パルス電圧を前記電磁比例制御弁の駆動用電磁ソレノイドのコイルに供給するための手段と、適宜のタイミングで前記駆動用パルス電圧のパルス巾を一時的に大きくするための手段とを備えたことを特徴とする電磁比例制御弁駆動装置が提案される。
【００２３】
請求項１７の発明によれば、コモンレールシステムのポンプの流量制御用の電磁比例制御弁を駆動するための電磁比例制御弁駆動装置において、外部から与えられる制御信号に従うデューティ比の所定の周波数の駆動用パルス電圧を前記電磁比例制御弁の駆動用電磁ソレノイドのコイルに供給するための手段と、適宜のタイミングで前記駆動用パルス電圧のパルス波高値を一時的に大きくするための手段とを備えたことを特徴とする電磁比例制御弁駆動装置が提案される。
【００２４】
【発明の実施の形態】
以下、図面を参照して本発明の実施の形態の一例につき詳細に説明する。
【００２５】
図１は、本発明の実施の形態の一例を示す構成図であり、ここでは、本発明による電磁比例制御弁駆動装置を用いて構成された内燃機関用の燃料噴射装置の構成が示されている。燃料噴射装置１は、コモンレール２内に蓄積された高圧燃料を複数のインジェクタ３により図示しない内燃機関の対応する各気筒に直接噴射供給するコモンレール方式の燃料噴射装置であり、コモンレール２には、ポンプ装置４から高圧燃料が供給される構成となっている。
【００２６】
ポンプ装置４は、供給ポンプ４１によって燃料タンク５内の燃料６を外部に設けてあるフィルタ７を介して、図示しない駆動部によって駆動される一対の高圧プランジャ４２、４３に送るように構成されており、フィルタ７と高圧プランジャ４２、４３との間に設けられた電磁比例制御弁４４によって高圧プランジャ４２、４３に送られる燃料の流量を調節できる構成となっている。
【００２７】
電磁比例制御弁４４によって流量調節された燃料は、逆止弁４５、４６を介して対応する高圧プランジャ４２、４３に送られ、高圧プランジャ４２、４３で加圧されて得られた高圧燃料は対応する逆止弁４７、４８を介してコモンレール２に送られる。符号４９で示されるのは供給ポンプ４１の出力側の余剰燃料を燃料タンク５内に戻すための戻し弁である。なお、ポンプ装置４の構成それ自体は公知のものであるから、ポンプ装置４についてのこれ以上の詳しい説明は省略する。
【００２８】
図２は、図１に示した電磁比例制御弁４４の詳細構成を示す断面図である。電磁比例制御弁４４はケーシング４４Ａの一端部に設けられたシリンダ部４４Ｂのシリンダ室４４Ｂａ内に一端が開口している筒状のピストン４４Ｃが収容されており、スプリング４４Ｄによってピストン４４Ｃはケーシング４４Ａ内に設けられている電磁ソレノイド４４Ｅに向けてばね付勢されている。ピストン４４Ｃの周壁には、図３に詳細に示されているように、その周方向に複数のスリット４４Ｃａが適宜の間隔をあけて設けられている。
【００２９】
電磁ソレノイド４４Ｅは、ソレノイドコイル４４Ｆに流れる電流に応じてアンカー４４Ｅｂがピストン４４Ｃをスプリング４４Ｄのばね力に抗して移動させる構成となっている。したがって、ピストン４４Ｃは、スプリング４４Ｄのばね力と、ソレノイドコイル４４Ｆに流れる電流の大きさによって定まる電磁ソレノイド４４Ｅの駆動力とがつり合う位置に位置決めされる。
【００３０】
シリンダ部４４Ｂには、燃料の入口ポート４４Ｂｂ、４４Ｂｂと燃料の出口ポート４４Ｂｃとが図示の如く形成されており、入口ポート４４Ｂｂはシリンダ部４４Ｂの内側に形成された環状溝４４Ｂｄに連通している。そして、ピストン４４Ｃがシリンダ部４４Ｂ内を移動し、スリット４４Ｃａが環状溝４４Ｂｄと対向したときに、スリット４４Ｃａと環状溝４４Ｂｄとにより開口部が形成される。この開口部の面積はピストン４４Ｃの位置に応じて変化して入口ポート４４Ｂｂ、４４Ｂｂの各開口面積が実質的に調節され、これにより入口ポート４４Ｂｂ、４４Ｂｂから出口ポート４４Ｂｃに流れる燃料の流量を調節することができる構成となっている。
【００３１】
図１に戻ると、図２に示された電磁比例制御弁４４の駆動制御のため、燃料噴射装置１は、マイクロコンピュータを用いて構成された駆動制御ユニット８を備えている。駆動制御ユニット８には、コモンレール２内の燃料圧力であるレール圧を検出するためのレール圧センサ９からのレール圧を示すレール圧信号Ｓ１、キースイッチ１０がオン位置にあることを示すキースイッチオン信号Ｓ２、内燃機関の回転数を検出する回転数センサ１１からの回転数を示す回転数信号Ｓ３、ポンプ装置４内の燃料温度を検出する温度センサ１２からの燃料温度を示す温度信号Ｓ４、及び図示しないアクセルペダルの操作量を検出するアクセルセンサ１３からのアクセル開度を示すアクセル信号Ｓ５が入力されている。
【００３２】
駆動制御ユニット８では、これらの入力信号Ｓ１〜Ｓ５に応答し、そのときどきの運転条件に見合った燃料流量を得るのに必要な電磁比例制御弁４４の制御量が演算される。
【００３３】
図４は、図１に示した駆動制御ユニット８の詳細構成図である。８Ａはマイクロコンピュータで、入力信号Ｓ１〜Ｓ５は中央演算処理装置（ＣＰＵ）８Ｂにおいて後述する制御プログラムに従って処理され、制御出力信号ＣＳが出力される。駆動制御ユニット８は、フライホイールダイオード８Ｃとスイッチングトランジスタ８Ｄとから成る駆動回路を備えており、フライホイールダイオード８Ｃとスイッチングトランジスタ８Ｄとの接続点は検出抵抗器８Ｅを介して電磁比例制御弁４４のソレノイドコイル４４Ｆの一端に接続され、ソレノイドコイル４４Ｆの他端は直流電源＋Ｂに接続されている。
【００３４】
制御出力信号ＣＳはスイッチングトランジスタ８Ｄのオン、オフをパルス信号によるデューティ比制御にて行うための所定の周波数のパルス電圧信号であり、スイッチングトランジスタ８Ｄは制御出力信号ＣＳに応答してオン、オフし、ソレノイドコイル４４Ｆには制御出力信号ＣＳに従うパルス電圧が印加される。この結果、上記パルス電圧信号のデューティ比に従う駆動電流が駆動信号ＤＳとしてソレノイドコイル４４Ｆに流れる構成となっている。このとき検出抵抗器８Ｅに流れる電流によって生じる電圧信号Ｖｄに応答して、電圧増幅器８Ｆからはソレノイドコイル４４Ｆに流れている駆動電流の大きさを示す検出信号Ｓ６が出力され、マイクロコンピュータ８Ａに入力されている。
【００３５】
次に、図５を参照して、入力信号Ｓ１〜Ｓ６に基づいて実行される電磁比例制御弁４４の駆動制御について説明する。図５に示されているのは、電磁比例制御弁４４の駆動制御のためにマイクロコンピュータ８Ａにセットされ、ＣＰＵ８Ｂにおいて実行される制御プログラムを示すフローチャートである。この制御プログラムが起動されて実行が開始されると、先ず、ステップＳ１１では目標レール圧Ｐｔが演算される。目標レール圧Ｐｔは、アクセル信号Ｓ５と回転数信号Ｓ３とに基づいて演算される。
【００３６】
次のステップＳ１２では、この目標レール圧Ｐｔとレール圧信号Ｓ１とから電磁比例制御弁４４における燃料の目標流量Ｆｔが演算される。そして、ステップＳ１３では、この目標流量Ｆｔと検出信号Ｓ６とから、目標流量を得るのに必要な制御出力信号ＣＳの目標デューティ比ＤＴｔが演算される。
【００３７】
ステップＳ１４では、温度信号Ｓ４に従って、ステップＳ１３で得られた目標デューティ比ＤＴｔの補正を行い、ステップＳ１５では、ステップＳ１４での補正結果に基づいて通電デューティ比ＤＴａが演算される。
【００３８】
基本的には、この通電デューティ比ＤＴａに従ってデューティ比が制御されている所定の周波数のパルス電圧が制御出力信号ＣＳとして出力されるが、電磁比例制御弁４４の作動部分における作動摩擦のためにピストン４４Ｃの動きにヒステリシスが発生する虞がある場合には、ソレノイドコイル４４Ｆに与えられる電気的エネルギーを適宜のタイミングで一時的に大きくし、制御出力信号ＣＳによる電磁比例制御弁４４の駆動力を瞬時的に高めることができるようにするため、ステップＳ１６では、ソレノイドコイル４４Ｆに対する大電流投入の必要性の有無が判別される。
【００３９】
ステップＳ１６におけるこの判別は、大電流投入成立条件が成立しているか否かを判別することである。本実施の形態では、（１）始動時か否か、（２）極冷間時か否か、（３）高温時か否か、（４）特定のエンジン回転域か否か、及び（５）レール圧の偏差が所定値を外れた状態が所定時間以上継続したか否かの５つの条件についてそれぞれ判別し、これらのうちの少なくとも１つの条件が成立している場合には、大電流投入条件が成立したと判別される構成となっている。条件（１）はキースイッチオン信号Ｓ２に基づいて判別される。条件（２）、（３）は温度信号Ｓ４に基づいて判別される。条件（４）は回転数信号Ｓ３に基づいて判別される。条件（５）はステップＳ１１で得られた結果とレール圧信号Ｓ１とから判別される。
【００４０】
電磁比例制御弁４４の作動にヒステリシスが発生する虞が少ない運転条件下にあっては、ステップＳ１６の制御結果はＮＯとなり、ステップＳ１７に入り、ここでは、ステップＳ１５で得られた通電デューティ比ＤＴａに従うデューティ比に制御された所定の周波数のパルス電圧が制御出力信号ＣＳとして出力される通常電流出力処理が実行される。スイッチングトランジスタ８Ｄは、この制御出力信号ＣＳに応答してオン、オフされ、この結果得られるパルス電圧がソレノイドコイル４４Ｆに印加されるので、電磁比例制御弁４４のソレノイドコイル４４Ｆには、通電デューティ比ＤＴａに従う駆動電流が駆動信号ＤＳとしてパルス的に流れ、これにより電磁比例制御弁４４における燃料の流量が目標流量Ｆｔとなるように制御される。
【００４１】
一方、大電流投入条件が成立したと判別されると、ステップＳ１６の判別結果はＹＥＳとなり、ステップＳ１８に入る。ステップＳ１８では、大電流通電のために必要な各パラメータがレール圧信号Ｓ１と、に基づいて演算されるが、この演算は、エンジンの冷却水温度をさらに考慮して行ってもよい。ここでは、大電流を所定時間だけ周期的に繰り返して通電するようになっており、したがって、大電流の１回当たりの通電期間ｐ及び通電回数ｑと、その繰り返しのための周期ｒとが演算されている。
【００４２】
ステップＳ１９では、ステップＳ１５及びＳ１８の各演算結果に従って、電磁比例制御弁４４の開閉を、基本的には通電デューティ比ＤＴａに従ってデューティ比が制御されている所定の一定周波数のパルス電圧を用いてデューティ制御をしつつ、その通電期間ｐの間に大電流をｑ回流すことを周期ｒで繰り返すようにするための大電流出力処理を実行し、この処理に従う制御出力信号ＣＳが出力される。
【００４３】
図６の（Ａ）には、ステップＳ１９での処理により得られた制御出力信号ＣＳの電圧波形の一例が示されている。ここでは、周期ｒで２つの幅広のパルス電圧が通電期間ｐにおいて繰り返し出力され、通電期間ｐ以外の期間ｓにおいては、ステップＳ１７での通常電流出力処理に従う幅の狭い所定周波数のパルス電圧がステップＳ１５で得られた通電デューティ比ＤＴａで出力されている。上記説明から明らかなように、大電流駆動のための幅広のパルス電圧のパルス幅は、通電期間ｐと回数ｑの値に従って定められることになる。
【００４４】
図６の（Ｂ）は、図６の（Ａ）に示す制御出力信号ＣＳをスイッチングトランジスタ８Ｄにゲート電圧信号として与えた場合の駆動信号ＤＳの電流波形を示したものである。通電期間ｐにおいて、幅広のパルス電圧が印加されるため、スイッチングトランジスタ８Ｄがオンとなっている時間が長く、ソレノイドコイル４４Ｆに流れる電流のレベルが大きくなることができる。したがって、期間ｓにおける幅の狭いパルス電圧を印加した場合の電流波高値Ｗｓに比べ、通電期間ｐにおいてソレノイドコイル４４Ｆに流れる電流の波高値Ｗｐは、より大きくなり、通電期間ｐにおいては、期間ｓに比べて大きな電気的エネルギーがソレノイドコイル４４Ｆに与えられ、より大きな駆動力で電磁比例制御弁４４の駆動が行われる。すなわち、適宜のタイミングでパルス電圧のパルス幅を一時的に大きくし、駆動用電磁ソレノイドの駆動力を瞬時的に高めるようにすることが繰り返し実行される。
【００４５】
したがって、電磁比例制御弁４４において動作摩擦が生じていても、その駆動力が通電期間ｐにおいて瞬時的に高められ、電磁比例制御弁４４のピストン４４Ｃをその動作摩擦に打ち勝って円滑に動作させることができる。この結果、電磁比例制御弁４４において、弁装置としての応答性の低下や制御量のばらつきが発生するのを有効に抑え、流量制御を安定して行うことができるようになる。
【００４６】
ステップＳ２０では、目標レール圧Ｐｔから実レール圧Ｐａを差し引いた差分ΔＰの絶対値が所定値Ｋより小さくなっているか否かが判別される。差分ΔＰの絶対値が所定値Ｋより小さくなっている場合は電磁比例制御弁４４が円滑に作動していると判別される場合であり、この場合にはステップＳ２０の判別結果はＹＥＳとなり、ステップＳ１７に進み、通常電流出力処理に入る。
【００４７】
一方、差分ΔＰの絶対値が所定値Ｋ以上であると、電磁比例制御弁４４が円滑に作動しておらず、未だ大電流出力処理が必要であると判別され、この場合にはステップＳ２０の判別結果はＮＯとなり、ステップＳ１８に戻る。差分ΔＰの絶対値がＫより小さくなるまで、ステップＳ１８、Ｓ１９は周期的に繰り返し実行される。なお、ステップＳ２０の判別結果がＮＯの場合、ステップＳ１９に戻るように構成してもよい。
【００４８】
図５に示した制御では、差圧ΔＰが所定値より小さくなるまで、ステップＳ１８で定めたパラメータに従って大電流出力処理を繰り返し行う構成であった。しかし、大電流出力処理を開始後、所定時間が経過しても差圧ΔＰが所定値Ｋより小さくならない場合においては、ステップＳ１８で定めたパラメータを変更し、より大きな電気的エネルギーを与えるように構成することもできる。
【００４９】
図７は、そのような制御の実施の形態の要部を示すフローチャートであり、図５のステップＳ１８〜Ｓ２０の部分と置き換えられるものである。
【００５０】
図７において、ステップＳ２１、Ｓ２２は、それぞれステップＳ１８、Ｓ１９に相応している。ステップＳ２３ではタイマーをスタートさせ、ステップＳ２４でタイマーの値Ｔが所定値Ｍ以上となったか否かを判別し、Ｔ＜Ｍならば、ここでの判別結果はＮＯとなり、ステップＳ２５に入る。ステップＳ２５は図７のステップＳ２０に相応しており、ここでの判別結果がＹＥＳであればステップＳ１７に進む。ステップＳ２５の判別結果がＮＯであるとステップＳ２１に戻り、ステップＳ２１〜Ｓ２５までを繰り返し実行する。
【００５１】
ステップＳ２５の判別結果がＹＥＳとならないうちに、Ｔ≧Ｍとなると、ステップＳ２４の判別結果がＹＥＳとなり、ステップＳ２６に入る。ステップＳ２６では、ステップＳ２１で演算された各パラメータによる場合よりも、より大きい電気的エネルギーを与えることができるようなパラメータの演算が行われる。例えば、各パラメータｐ、ｑ、ｒのうち、ｐ、ｑの値を大きくし、通電期間ｐを長くすると共に、回数ｑを増すなど適宜にパラメータを変更する。
【００５２】
ステップＳ２７では、ステップＳ２６において演算されたパラメータに従う大電流出力処理を実行する。ステップＳ２７での処理は、通電期間ｐにおいてソレノイドコイル４４Ｆに与えられる電気的エネルギーの大きさがステップＳ２２でのものより大きいことを除いて、ステップＳ２２の動作と基本的には同じである。
【００５３】
ステップＳ２８では、目標レール圧Ｐｔから実レール圧Ｐａを差し引いた差分ΔＰの絶対値が所定値Ｋより小さくなっているか否かが判別される。差分ΔＰの絶対値が所定値Ｋより小さくなっている場合は電磁比例制御弁４４が円滑に作動していると判別される場合であり、この場合にはステップＳ２８の判別結果はＹＥＳとなり、ステップＳ１７に進み、通常電流出力処理に入る。
【００５４】
一方、差分ΔＰの絶対値が所定値Ｋ以上であると、電磁比例制御弁４４が円滑に作動しておらず、未だ大電流出力処理が必要であると判別され、この場合にはステップＳ２８の判別結果はＮＯとなり、ステップＳ２６に戻る。ステップＳ２６、Ｓ２７は、差分ΔＰの絶対値がＫより小さくなるまで繰り返し実行される。なお、ステップＳ２８の判別結果がＮＯの場合、ステップＳ２７に戻る構成であってもよい。
【００５５】
図７に示した構成によると、ステップＳ２１において演算されたパラメータに従う大電流出力処理が一定時間続いても効果がない場合により大きな電気的エネルギーを使用することにより電磁比例制御弁４４の円滑な作動を実現するので、電磁比例制御弁４４に大きな負担を掛けずに電磁比例制御弁４４が円滑な動作を行うようにさせることができる。
【００５６】
なお、図４に示した回路構成例では、スイッチングトランジスタ８Ｄをローサイドスイッチとして用いたが、スイッチングトランジスタ８Ｄをハイサイドスイッチとする構成も可能である。
【００５７】
図８には、スイッチングトランジスタ８Ｄをハイサイドスイッチとして用いた場合の回路構成例を示す。図８に示した駆動制御ユニット８１の各部のうち、図４の各部に対応する部分には同一の符号を付してある。
【００５８】
図１に示した実施の形態においては、大電流出力処理は、ソレノイドコイル４４Ｆに印加する電圧のレベルは変更せず、ソレノイドコイル４４Ｆに電圧を印加する時間幅を大きくし、これによりソレノイドコイル４４Ｆに流れる電流の波高値Ｗｐが所定の通電期間ｐにおいてだけ波高値Ｗｓより大きくなるようにした。しかし、大電流出力処理のために、ソレノイドコイル４４Ａに印加する電圧の時間幅は変更せず印加電圧のレベルを大きくしてソレノイドコイル４４Ａに与えられる電気的エネルギーを大きくする構成も可能である。
【００５９】
図９には、そのような構成に用いられる回路構成とした駆動制御ユニット８２の回路構成図が示されている。駆動制御ユニット８２において、駆動制御ユニット８の各部と同一の部分には同一の符号が付されている。８２Ａは電源電圧＋Ｂよりも高い直流電圧ＶＨを出力するための昇圧回路、８２Ｂはソレノイドコイル４４Ｆに電源電圧＋Ｂ又は直流電圧ＶＨのいずれかを選択的に印加するためのスイッチである。スイッチ８２Ｂは、マイクロコンピュータ８Ａからのスイッチ制御信号Ｓ７に応答して開閉され、スイッチ８２Ｂが開いている場合には直流電圧ＶＨがソレノイドコイル４４Ｆに印加される。一方、スイッチ８２Ｂが閉じている場合には、ダイオード８２Ｃは逆バイアス状態となり、電源電圧＋Ｂがソレノイドコイル４４Ｆに印加される。
【００６０】
図１０は、図９に示した駆動制御ユニット８２を用いた場合の制御プログラムを示すフローチャートである。図１０に示したフローチャートの各ステップのうち、それぞれ図５に示したフローチャートの各ステップと同一の部分には同一の符号を付してそれらの説明を省略する。図１０に示したフローチャートと図５に示したフローチャートとの相違は、大電流通電のための各パラメータの演算を行うステップＳ３１の部分のみである。
【００６１】
ステップＳ１６の制御結果がＹＥＳとなると、ステップＳ３１に入り、ここで、各パラメータのうち、通電期間ｐと、回数ｑとが決定される。ここでは、パルス電圧である制御出力信号ＣＳ’の周期は一定とされており、ソレノイドコイル４４Ｆを高電圧ＶＨで駆動する回数ｑが決定されることにより、通電期間ｐは自動的に定まることになる。そして通電期間ｐにあっては、スイッチ制御信号Ｓ７が出力されスイッチ８２Ｂが開かれるよう制御される。
【００６２】
図１１の（Ａ）には、ステップＳ１９での処理により得られた制御出力信号ＣＳ’の電圧波形の一例が示されている。ここでは、ｑ＝４の場合が示されており、通電期間ｐにおいて４つのパルスが出力される。この通電期間ｐにあっては、スイッチ制御信号Ｓ７によりスイッチ８２Ｂが開かれ、高電圧ＶＨがソレノイドコイル４４Ｆに印加される構成となっている。
【００６３】
図１１の（Ｂ）は、図１１の（Ａ）に示す制御出力信号ＣＳ’をスイッチングトランジスタ８Ｄにゲート電圧信号として与えた場合の駆動信号ＤＳ’の電流波形を示したものである。通電期間ｐにおいて、高電圧ＶＨが印加されるため、スイッチングトランジスタ８Ｄがオンとなっている時間は期間ｓの場合と同じであるが、ソレノイドコイル４４Ｆに流れる電流の波高値は大きくなる。したがって、結局、期間ｐにおいては、期間ｓに比べて、大きな電気的エネルギーがソレノイドコイル４４Ｆに与えられ、より大きな駆動力で電磁比例制御弁４４の駆動が行われる。すなわち、適宜のタイミングでパルス電圧のパルス幅を一時的に大きくし、駆動用電磁ソレノイドの駆動力を瞬時的に高めるようにすることを、繰り返し実行している。
【００６４】
図１２には、図９に示した駆動制御ユニット８２の変形例が示されている。図１２の各部のうち、図９の各部に対応する部分には同一の符号が付されている。図１２に示される駆動制御ユニット８３は、高圧出力回路８３Ａからの高電圧ＶＨがスイッチ８３Ｂを介してソレノイドコイル４４Ｆに与えられる構成となっており、電源電圧＋Ｂはダイオード８３Ｃを介してソレノイドコイル４４Ｆに印加されている。したがって、スイッチ８３Ｂが開いている場合に電源電圧＋Ｂがソレノイドコイル４４Ｆに印加される。一方、スイッチ８３Ｂが閉じられると、ダイオード８３Ｃは逆バイアス状態となり、高電圧ＶＨがソレノイドコイル４４Ｆに印加される。したがって、この場合には、スイッチ８３Ｂはスイッチ制御信号Ｓ７によって、通電期間ｐにおいてのみ閉じられるように制御される。
【００６５】
図１３には、図９に示した駆動制御ユニット８２の別の変形例が示されている。図１３の各部のうち、図９の各部に対応する部分には同一の符号が付されている。駆動制御ユニット８４では、ソレノイドコイル４４Ｆに印加する電圧をスイッチ８４Ｂによって切り換える場合に必要なダイオード８４Ｃがスイッチングトランジスタ８Ｄとフライホイールダイオード８Ｃとの間に設けられている。そして、スイッチ８４Ｂが開いている場合には高電圧ＶＨがダイオード８４Ｃを介してソレノイドコイル４４Ｆに印加され、一方、スイッチ８４Ｂが閉じられるとダイオード８４Ｃが逆バイアス状態となって電源電圧＋Ｂがソレノイドコイル４４Ｆに印加される構成となっている。したがって、この場合には、スイッチ８４Ｂはスイッチ制御信号Ｓ７によって、通電期間ｐにおいてのみ開かれるように制御される。
【００６６】
図１４には、図９に示した駆動制御ユニット８２の他の変形例が示されている。図１４の各部のうち、図９の各部に対応する部分には同一の符号が付されている。駆動制御ユニット８５では、ソレノイドコイル４４Ｆに印加する電圧をスイッチ８５Ｂによって切り換える場合に必要なダイオード８５Ｃがスイッチングトランジスタ８Ｄとフライホイールダイオード８Ｃとの間に設けられている。そして、スイッチ８５Ｂが開いている場合には電源電圧＋Ｂがソレノイドコイル４４Ｆに印加され、一方、スイッチ８４Ｂが閉じられるとダイオード８４Ｃが逆バイアス状態となり高電圧ＶＨがソレノイドコイル４４Ｆに印加される構成となっている。したがって、この場合には、スイッチ８５Ｂはスイッチ制御信号Ｓ７によって、通電期間ｐにおいてのみ閉じられるように制御される。
【００６７】
以上においては、本発明の実施の形態をいずれもコモンレールシステムのポンプの流量制御に適用した場合について説明した。しかし、本発明は上記実施の形態に限定されるものではなく、他の目的で使用される種々の流体の流量制御用電磁比例弁についても同様にして適用することができ、同様の効果が得られることは勿論である。
【００６８】
【発明の効果】
本発明によれば、コモンレールシステムのポンプの流量制御用電磁比例制御弁において、ピストンとシリンダとの間に静的又は動的な摩擦力が生じていても、その駆動用ソレノイドのコイルに与える電気的エネルギーを適宜のタイミングで一時的に大きくすることにより、それらの摩擦力に打ち勝ってピストンを動かすことができるので、弁装置としての応答性の低下や流量のばらつき等の不具合が生じるのを有効に抑え、安定した流量制御を実現させることができる。
【００６９】
さらに、本発明では、コイルに与える電気的エネルギーを適宜のタイミングで一時的に大きくする構成であるから、駆動の初期段階において大電流を連続的にコイルに流す従来方法に比べ、省電力化が図れるほか、電磁ソレノイド及び駆動側の両方において、電気的定格を大電流の連続通電に耐えられるよう大きくする必要もないのでコストを上昇させることがない。
【図面の簡単な説明】
【図１】本発明の実施の形態の一例を示す構成図。
【図２】図１に示した電磁比例制御弁の詳細構成を示す断面図。
【図３】図２に示した電磁比例制御弁のピストンの拡大斜視図。
【図４】図１に示した駆動制御ユニットの詳細回路構成図。
【図５】図４に示した駆動制御ユニットのＣＰＵにおいて実行される制御プログラムを示すフローチャート。
【図６】図４に示した駆動制御ユニットの各部の信号の波形の一例を示す図で、（Ａ）は制御出力信号の波形図、（Ｂ）はソレノイドコイルの駆動信号の電流波形図。
【図７】図５に示した制御の変形例を説明するための要部フローチャート。
【図８】図４に示した駆動制御ユニットの変形例を示す回路構成図。
【図９】ソレノイドコイルに印加される電圧を切り換えて大電流出力処理を行うようにするための駆動制御ユニットの構成の一例を示す回路構成図。
【図１０】図９に示した駆動制御ユニットのＣＰＵにおいて実行される制御プログラムを示すフローチャート。
【図１１】図９に示した駆動制御ユニットの各部の信号の波形の一例を示す図で、（Ａ）は制御出力信号の波形図、（Ｂ）はソレノイドコイルの駆動信号の電流波形図。
【図１２】図９に示した駆動制御ユニットの変形例を示す回路構成図。
【図１３】図９に示した駆動制御ユニットの別の変形例を示す回路構成図。
【図１４】図９に示した駆動制御ユニットの他の変形例を示す回路構成図。
【符号の説明】
１  燃料噴射装置
２  コモンレール
８、８１、８２、８３、８４、８５  駆動制御ユニット
８Ａ  マイクロコンピュータ
８Ｂ  ＣＰＵ
９  レール圧センサ
１０  キースイッチ
１１  回転数センサ
１２  温度センサ
１３  アクセルセンサ
４４  電磁比例制御弁
４４Ｃ  ピストン
４４Ｂ  シリンダ部
４４Ｅ  電磁ソレノイド
４４Ｆ  ソレノイドコイル
ＣＳ、ＣＳ’  制御出力信号
ＤＳ、ＤＳ’  駆動信号
Ｓ１  レール圧信号
Ｓ２  キースイッチオン信号
Ｓ３  回転数信号
Ｓ４  温度信号
Ｓ５  アクセル信号
Ｓ６  検出信号
Ｓ７  スイッチ制御信号
ｐ  通電期間
ｑ  通電回数
ｒ  周期
【図１】
0003851140.tif 000002
【図２】
0003851140.tif 000003
【図３】
0003851140.tif 000004
【図４】
0003851140.tif 000005
【図５】
0003851140.tif 000006
【図６】
0003851140.tif 000007
【図７】
0003851140.tif 000008
【図８】
0003851140.tif 000009
【図９】
0003851140.tif 000010
【図１０】
0003851140.tif 000011
【図１１】
0003851140.tif 000012
【図１２】
0003851140.tif 000013
【図１３】
0003851140.tif 000014
【図１４】
0003851140.tif 000015